(57)【要約】【課題】調湿性能を有し且つ汗やアンモニア臭に対して高い消臭効果を有する収納袋を提供すること。【解決手段】袋本体の構成壁には、通気性を有しない外面側の樹脂シート１０と、調湿及び吸臭機能を有する中間のシート状の機能性繊維１１と、通気性を有する内面側の不織布１２を、溶着一体化して成る積層シート部材１が使用されている。袋本体の構成壁は、通気性を有する不織布２を有している。【選択図】図１
0003124244.tif 000002
【実用新案登録請求の範囲】
【請求項１】
袋本体の構成壁には、通気性を有しない外面側の樹脂シートと、調湿及び吸臭機能を有する中間のシート状の機能性繊維と、通気性を有する内面側の不織布を、溶着一体化して成る積層シート部材が使用されていることを特徴とする収納袋。
【請求項２】
袋本体の構成壁は、通気性を有する不織布を有していることを特徴とする請求項１記載の収納袋。
【請求項３】
機能性繊維は、アクリル酸重合体部分ナトリウム塩架橋物より構成されていることを特徴とする請求項１又は２記載の収納袋。
【請求項４】
機能性繊維には、アクリロニトリル、アクリル酸メチル、ナトリウム塩、メタクリルスルホン酸ナトリウムの共重合体にセルロースジアセテートとアルミノ珪酸亜鉛を含有させたものが含まれていることを特徴とする請求項３記載の収納袋。
【請求項５】
ファスナーにより開閉可能であることを特徴とする請求項１乃至４のいずれかに記載の収納袋。
【請求項６】
衣服収納、靴収納、布団収納、又は毛布収納を目的としたことを特徴とする請求項１乃至５のいずれかに記載の収納袋。
【考案の詳細な説明】
【技術分野】
【０００１】
この考案は、調湿・消臭機能を有する、羽毛布団、衣類や靴等の収納袋に関するものである。
【背景技術】
【０００２】
羽毛布団、衣類や靴等を収納するための袋は、従来から存在しており、風通しを良好とすべく全体を不織布で形成したものがある。
【０００３】
しかしながら、従来の収納袋では、内部の湿度は外部の湿度に完全に依存しており、また、汗やアンモニア臭については全く対応できないものであった。
【０００４】
したがって、この種の収納袋を製造・販売する業界および使用者の間では、調湿性能を有し且つ汗やアンモニア臭に対して高い消臭効果を有するものが開発されることを待ち望んでいる。
【考案の開示】
【考案が解決しようとする課題】
【０００５】
そこで、この考案では、調湿性能を有し且つ汗やアンモニア臭に対して高い消臭効果を有する収納袋を提供することを課題とする。
【課題を解決するための手段】
【０００６】
（請求項１記載の考案）
この考案の収納袋は、袋本体の構成壁には、通気性を有しない外面側の樹脂シートと、調湿及び吸臭機能を有する中間のシート状の機能性繊維と、通気性を有する内面側の不織布を、溶着一体化して成る積層シート部材が使用されている。
【０００７】
（請求項２記載の考案）
この考案の収納袋は、上記請求項１記載の考案に関し、袋本体の構成壁は、通気性を有する不織布を有している。
【０００８】
（請求項３記載の考案）
この考案の収納袋は、上記請求項１又は２記載の考案に関し、機能性繊維は、アクリル酸重合体部分ナトリウム塩架橋物より構成されている。
【０００９】
（請求項４記載の考案）
この考案の収納袋は、上記請求項３記載の考案に関し、機能性繊維には、アクリロニトリル、アクリル酸メチル、ナトリウム塩、メタクリルスルホン酸ナトリウムの共重合体にセルロースジアセテートとアルミノ珪酸亜鉛を含有させたものが含まれている。
【００１０】
（請求項５記載の考案）
この考案の収納袋は、上記請求項１乃至４のいずれかに記載の考案に関し、ファスナーにより開閉可能である。
【００１１】
（請求項６記載の考案）
この考案の収納袋は、上記請求項１乃至５のいずれかに記載の考案に関し、衣服収納、靴収納、布団収納、又は毛布収納を目的としたものである。
【考案の効果】
【００１２】
この考案の収納袋によると、調湿性能を有し且つ汗やアンモニア臭に対して高い消臭効果を有する。
【考案を実施するための最良の形態】
【００１３】
以下にこの考案の収納袋を実施するための最良の形態として実施例について詳しく説明する。
【実施例１】
【００１４】
図１〜図３はこの考案の実施例１における収納袋Ｂ（図１は羽毛布団収納袋に羽毛布団を収納した状態）の外面斜視図、図４は前記収納袋Ｂを構成する積層シート部材１の部分拡大図を示している。
【００１５】
（この収納袋Ｂの構成について）
この収納袋Ｂは、図１に示すように羽毛布団収納袋であり、折り畳んだ圧縮状態を維持しながら収納できるようにしたものである。
【００１６】
この収納袋Ｂの袋本体は、図１に示すように、積層シート部材１と不織布２から構成された薄い直方体状のものであり、収納部ｂ１に対して蓋部ｂ２がファスナーＦにより開閉可能となっている。また、この収納袋Ｂでは、図２に示すように、収納部ｂ１の底側辺部分にそれぞれ二本の帯状体ｂ３（面ファスナーｆを備える）を設けてある。
【００１７】
そして、この収納袋Ｂに羽毛布団Ｈを収納する場合、先ず、図２に示す如く折り畳んだ羽毛布団Ｈを収納部ｂ１内に収納した後、図３に示す如く面ファスナーｆ，ｆ相互を接触させる態様で帯状体ｂ３，ｂ３により折り畳んだ圧縮状態を維持させ、続いてファスナーＦを閉めることにより完了する。
【００１８】
ここで、積層シート部材１は、図１〜図４に示す如く通気性を有しない外面側の樹脂シート１０と、調湿及び吸臭機能を有する中間のシート状の機能性繊維１１と、通気性を有する内面側の不織布１２を、溶着一体化（超音波により点加工にて三層生地を溶着させることで気密性及び嵩高の風合いを持たせてある。以下の実施例において同じ。）して成るものであり、不織布２は通気性を有するものとしてある。なお、この収納袋Ｂでは羽毛布団１枚を収納できるように、サイズ：幅８８ｃｍ、奥行き６５ｃｍ、高さ１０ｃｍとしてあり、積層シート部材１の面積は１．０１２ｍ２としてある。
【００１９】
積層シート部材１は、図１において斜線で示されており（以下の実施例においても同じ）、例えば、樹脂シート１０はポリエチレンやポリプロピレン等により、機能性繊維１１はアクリル酸重合体部分ナトリウム塩架橋物より、不織布１２はポリエチレンやポリプロピレン等により、それぞれ構成されている。
【００２０】
不織布２は、例えば、ポリエチレンやポリプロピレン等で構成されている。
【００２１】
上記機能性繊維１１の基本物性を更に詳しく説明すると、（一例）化学組成：アクリル酸重合体部分ナトリウム塩架橋物、比重：１．５５ｇ／ｃｍ３、公定水分率：１４ｗｔ％、繊維太さ：９ｄ（例えば９ｇ／９０００ｍ）、強力：２．４６ｇ／９ｄ、伸度：２８．４％、例えば、帝人ファイバー株式会社が販売している「ベルオアシス（登録商標）」が採用できる。
【００２２】
そして、この機能性繊維１１は、大きな吸湿能力：１５０％（ａｔ相対湿度９０％）、アンモニアを主として、水に溶けやすいガスの消臭性能が高い、という特性を有している。
【００２３】
（この収納袋Ｂの優れた効果について）
この収納袋Ｂは上記のような構成を有していることから、強い吸湿性能により内部の調湿ができ、その他汗やアンモニア臭を消臭できることが明らかである。よって、毛布布団を長期間収納しても、カビや虫が発生したり、臭くなるようなことが抑制される。また、天日乾燥等させることにより何度でも再使用可能である。
【００２４】
ここで、外部の湿度を上げていったときの、この実施例の収納袋Ｂの内部の湿度と、不織布のみで構成された収納袋の内部の湿度とを比較する実験をおこないグラフ化（図５）した。その結果、この実施例の収納袋Ｂの内部の湿度は、不織布のみで構成された収納袋と比較すると、調湿されていることが明らかである。このような現象が生じたのは、アクリル酸重合体部分ナトリウム塩架橋物は、湿度が高いときには水分を吸収し、湿度が低いときには水分を放出する性質があるからである。
【００２５】
よって、以下の実施例２〜４においても同様に調湿されることは明らかである。
【実施例２】
【００２６】
図６はこの考案の実施例２における収納袋Ｂ（羽毛布団収納袋）の外面斜視図を示している。
【００２７】
（この収納袋Ｂの構成について）
この収納袋Ｂは、図１に示すように羽毛布団収納袋であり、一対の手提げ部を設けてある。
【００２８】
この収納袋Ｂの袋本体は、図１に示すように、積層シート部材１と不織布２から構成された直方体状のものであり、ファスナーＦにより開閉可能となっている。ここで、積層シート部材１は図４や図６に示す如く通気性を有しない外面側の樹脂シート１０と、吸湿及び吸臭機能を有する中間のシート状の機能性繊維１１と、通気性を有する内面側の不織布１２を、溶着一体化して成るものであり、不織布２は通気性を有するものである。なお、この収納袋Ｂでは羽毛布団１枚を収納できるように、サイズ：幅７０ｃｍ、奥行き３０ｃｍ、高さ５０ｃｍとしてあり、積層シート部材１の面積は０．４６９ｍ２としてある。
積層シート部材１及び不織布２の材料や特性については実施例１と全く同様である。
【００２９】
（この収納袋Ｂの優れた効果について）
この収納袋Ｂは上記のような構成を有していることから、強い吸湿性能により内部の調湿ができ、その他汗やアンモニア臭を消臭できることが明らかである。よって、毛布布団を長期間収納しても、カビや虫が発生したり、臭くなるようなことが抑制される。また、天日乾燥等させることにより何度でも再使用可能である。
【実施例３】
【００３０】
図７はこの考案の実施例２における収納袋Ｂ（ロングブーツ収納袋）の外面斜視図を示している。
【００３１】
（この収納袋Ｂの構成について）
この収納袋Ｂは、図７に示すようにロングブーツ収納袋であり、ロングブーツの形状に合わせて形成されている。
【００３２】
この収納袋Ｂの袋本体は、実施例１と同様に、積層シート部材１と不織布２から構成されており、ファスナーＦにより開閉可能となっている。ここで、積層シート部材１は図４や図６に示す如く通気性を有しない外面側の樹脂シート１０と、吸湿及び吸臭機能を有する中間のシート状の機能性繊維１１と、通気性を有する内面側の不織布１２を、溶着一体化して成るものであり、不織布２は通気性を有するものである。なお、１足のロングブーツを収納できるように、サイズ：幅２１ｃｍ、奥行き２９ｃｍ、高さ５０ｃｍとしてあり、積層シート部材１の面積は０．２４５m２としてある。
積層シート部材１及び不織布２の材料や特性については実施例１と全く同様である。
【００３３】
（この収納袋Ｂの優れた効果について）
この収納袋Ｂは上記のような構成を有していることから、ロングブーツについて強い吸湿性能により内部の調湿ができ、その他汗やアンモニア臭を消臭できることが明らかである。よって、ロングブーツを長期間収納しても、カビや虫が発生したり、臭くなるようなことが抑制される。また、天日乾燥等させることにより何度でも再使用可能である。
【実施例４】
【００３４】
図８はこの考案の実施例４における収納袋Ｂ（衣類収納袋）の外面斜視図を示している。
【００３５】
（この収納袋Ｂの構成について）
この収納袋Ｂは、図８に示すように衣類収納袋であり、直方体形状に形成してある。
【００３６】
この収納袋Ｂの袋本体は、実施例１〜３と同様に、積層シート部材１と不織布２と前面の透明シートから構成されており、ファスナーＦにより開閉可能となっている。ここで、積層シート部材１は図４や図８に示す如く通気性を有しない外面側の樹脂シート１０と、吸湿及び吸臭機能を有する中間のシート状の機能性繊維１１と、通気性を有する内面側の不織布１２を溶着一体化して成るものであり、不織布２は通気性を有するものである。なお、衣服厚物５枚〜８枚は、衣類薄物３０枚〜３５枚を収納できるように、サイズ：幅４８ｃｍ、奥行き３５ｃｍ、高さ２０ｃｍとしてあり、積層シート部材１の面積は０．４３２ｍ２としてある。
積層シート部材１及び不織布２の材料や特性については実施例１と全く同様である。
【００３７】
（この収納袋Ｂの優れた効果について）
この収納袋Ｂは上記のような構成を有していることから、衣服・衣類について強い吸湿性能により内部の調湿ができ、その他汗やアンモニア臭を消臭できることが明らかである。よって、衣服・衣類を長期間収納しても、カビや虫が発生したり、臭くなるようなことが抑制される。また、天日乾燥等させることにより何度でも再使用可能である。
【００３８】
（その他の実施形態）
収納袋Bを毛布保存用のものとしてもよい。更に収納対象物は上記実施例に限られるものではない。
【００３９】
また、上記実施例では、積層シート部材１と不織布２により収納袋Ｂを構成させたが、積層シート部材１のみで収納袋Ｂを構成させるようにしてもよい。
【００４０】
更に、上記実施例に使用される機能性繊維１１を、アクリル酸重合体部分ナトリウム塩架橋物に、アクリロニトリル、アクリル酸メチル、ナトリウム塩、メタクリルスルホン酸ナトリウムの共重合体にセルロースジアセテートとアルミノ珪酸亜鉛を含有させたものを加えることができる。この機能性繊維１１を採用した場合、上記実施例の効果に加えて以下に示す効果(1) (2)を奏するものとなる。
【００４１】
(1)消臭性
繊維内部の消臭剤が悪臭を素早くキャッチした後、化学反応によって中和し、消臭する。アンモニア、トリメチルアミン、メチルメルカプタン、硫化水素の4大悪臭はもちろん、汗や体臭などの悪臭に対して高い消臭効果を発揮する。
【００４２】
(2)その他、制菌制、吸水・速乾性をも有している。
【００４３】
なお、機能性繊維１１としては、ＫＢセーレン（株）「ビオセーフ（ＷＤタイプ  消臭・抗菌  アクリル繊維」を使用できる。
【図面の簡単な説明】
【００４４】
【図１】この考案の実施例１における収納袋（羽毛布団収納袋）の外面斜視図。
【図２】この考案の実施例１における収納袋を開いた状態を示す斜視図。
【図３】この考案の実施例１における収納袋に羽毛布団を詰めた状態を示す斜視図。
【図４】図４は前記収納袋を構成する積層シート部材の部分拡大図。
【図５】外部の湿度を上げていったときの、この実施例の収納袋の内部の湿度と、不織布のみで構成された収納袋の内部の湿度とを比較するグラフ。
【図６】この考案の実施例２における収納袋（羽毛布団収納袋）の外面斜視図。
【図７】この考案の実施例３における収納袋（ロングブーツ収納袋）の外面斜視図。
【図８】この考案の実施例４における収納袋（衣類収納袋）の外面斜視図。
【符号の説明】
【００４５】
Ｂ      収納袋
Ｆ      ファスナー
１      積層シート部材
１０    樹脂シート
１１    機能性繊維
１２    不織布
２      不織布
【図１】
0003124244.tif 000003
【図２】
0003124244.tif 000004
【図３】
0003124244.tif 000005
【図４】
0003124244.tif 000006
【図５】
0003124244.tif 000007
【図６】
0003124244.tif 000008
【図７】
0003124244.tif 000009
【図８】
0003124244.tif 000010